(57)【特許請求の範囲】
【請求項１】
放電路の両端部に電極を有して当該放電路が電極を有する両端部の間で同一の平面内に
て湾曲して近接するように形成された平面ランプを点灯させる点灯装置と、平面ランプを
支持するとともに前記平面の法線方向に沿って平面ランプの中心部と対向する位置に挿通
口が貫設されて、前記挿通口を除く平面ランプの投影面内で点灯装置を保持する器具本体
と、平面ランプの前記電極と点灯装置の出力端子とを各々電気的に接続する一対のランプ
線と、前記挿通口を通じて入線されて外部電源と点灯装置の入力端子とを電気的に接続す
る電源線と、を備え、
一対のランプ線、及び電源線は、前記平面の法線方向から見たときに互いに交差するこ
となく配線されることを特徴とする照明器具。
【請求項２】
点灯装置は、電源線を通して外部電源へ帰還する高周波ノイズをフィルタリングするフ
ィルタ回路部を備え、
フィルタ回路部は、点灯装置の外郭たる箱型のケース内の入力端子が配設される一端部
近傍に配置され、
一対のランプ線は、前記平面の法線方向から見たときにケースの前記一端部から相対的
に離れて配線されることを特徴とする請求項１記載の照明器具。
【請求項３】
ケースの前記一端部と電源線とは、前記平面の法線方向から見たときに前記投影面のう
ち特定の領域内に収まるように配置されており、
前記特定の領域は、前記投影面の中心部から前記投影面の周縁部に向かって互いの成す
角度が９０度となるように引いた２本の境界線によって囲まれる領域であることを特徴と
する請求項２記載の照明器具。
【請求項４】
前記特定の領域は、前記平面の法線方向から見たときに平面ランプの両端部に有する口
金から最も離れた位置にあることを特徴とする請求項３記載の照明器具。
【請求項５】
一対のランプ線のうち点灯装置の高電位側の出力端子に接続されるランプ線の長さ寸法
は、点灯装置の低電位側の出力端子に接続されるランプ線の長さ寸法より短く設定してい
ることを特徴とする請求項１〜４の何れか１項に記載の照明器具。
【請求項６】
平面ランプの最冷点は両端部の口金のうち何れか一方の口金近傍に設けられており、
点灯装置は前記平面の法線方向から見たときに前記一方の口金から相対的に離れて配置
されることを特徴とする請求項１〜５の何れか１項に記載の照明器具。
【発明の詳細な説明】
【技術分野】
【０００１】
本発明は、照明器具に関するものである。
【背景技術】
【０００２】
従来より、省エネルギー、省スペース化、発光効率の向上等を目的とした種々のランプ
（蛍光ランプ）が提供されている。中でも、環状ランプとして、一重環形のランプよりも
その最大外周径を小さくし、環状の放電路の内周側空間にもガラス管を配設して、従来よ
りも小型で且つ発光効率の向上を目的としたランプがある（例えば、特許文献１参照）。
このランプは、放電路の両端部に電極を有して当該放電路が電極を有する両端部（口金）
の間で同一の平面内にて湾曲して近接するように形成される平面ランプである。
【０００３】
平面ランプは、一般に店舗・住宅等の天井に設置され、密閉型の照明器具よりも下面開
放型の照明器具に取付けられる。そして、この様な照明器具は、平面ランプを点灯させる
点灯装置と、平面ランプを支持して点灯装置を保持する器具本体と、一対のランプ線と、
電源線と、を備える。一対のランプ線は、平面ランプの前記電極と点灯装置の出力端子と
を各々電気的に接続する。電源線は、外部電源と点灯装置の入力端子とを電気的に接続す
る。
【０００４】
ところで、従来の一重環形のランプの場合、環状の放電路の内周側空間に点灯装置を配
置することで照明器具全体の薄型化を図っていたのに対して、平面ランプの場合、そのよ
うな空間が存在しない。そこで、例えば特許文献２に記載される照明器具のように、点灯
装置を平面ランプと略同一の平面上に配置することで照明器具全体の薄型化を図っている
。しかし、当該照明器具では平面ランプから放射される光の一部が点灯装置に遮られて、
本来の平面ランプの利点である発光効率の向上を損ねてしまっている。従って、特許文献
３に記載される照明器具のように、前記平面の法線方向に沿った平面ランプの投影面内に
点灯装置を配置させつつ、点灯装置の小型化等を図ることが望ましい。
【０００５】
また、平面ランプの投影面内に点灯装置を配置させた照明器具の一例として、図１１に
示すような照明器具１がある。ここで、図１１は前記平面の法線方向から見たときの照明
器具１の平面透視図である。そして、以下では図１１の正面を上面と規定して、紙面に垂
直な方向を上下方向として説明する。
【０００６】
照明器具１は、平面ランプ２を点灯させる点灯装置３と、器具本体４と、一対のランプ
線５ａ，５ｂと、電源線６とを備える。平面ランプ２は、放電路２１の両端部に電極（図
示せず）を有して放電路２１が電極を有する両端部の間で同一の平面内にて螺旋状に湾曲
して近接するように形成される。点灯装置３の外郭たるケース３１は細長の矩形箱状に形
成されており、長手方向の両端部に入力端子３２と出力端子３３ａ，３３ｂとが各々配設
される。また、点灯装置３は、電源線６を通して図示しない外部電源（商用電源）へ帰還
する高周波ノイズをフィルタリングするフィルタ回路部８を備える。尚、フィルタ回路部
８は、ケース３１内の入力端子３２が配設される左端部３１ａ近傍に配置される。
【０００７】
器具本体４は、図１１に示すように、全体として下面が開口する略扁平な有底円筒状に
形成された筐体４ａと、下面に反射面を有して筐体４ａの前記開口を塞ぐようにして配設
された皿形状の反射体（図示せず）とから構成される。点灯装置３は、筐体４ａと前記反
射体との間に配設されており、前記反射体の下面側の左右両端にはランプ線５ａ，５ｂと
接続されるソケット（図示せず）が配設される。そして、平面ランプ２の両端部の口金２
２ａ，２２ｂが各々前記ソケットに接続されて平面ランプ２が器具本体４に支持される。
すなわち、ランプ線５ａ，５ｂは、図１１に示すように、前記ソケットを介して口金２２
ａ，２２ｂに各々突設されるランプピン２３ａ，２３ｂと接続されて、平面ランプ２の電
極と点灯装置３の出力端子３３ａ，３３ｂとを各々電気的に接続する。
【０００８】
ここで器具本体４の筐体４ａは、図１１に示すように、上下方向に沿って平面ランプ２
の中心部と対向する位置に挿通口４２が貫設されている。そして、例えば天井面に設置さ
れたシーリングローゼット７を通じて商用電源と電気的に接続された電源線６は、挿通口
４２を通じて入線されて点灯装置３の入力端子３２に接続される。点灯装置３のケース３
１は、図１１に示すように、挿通口４２を塞がないようにして長手方向を左右方向に向け
ながら配設される。
【０００９】
また、他の一例として、図１２に示すような照明器具１もある。この照明器具１の点灯
装置３のケース３１は、図１１の細長の矩形箱状に形成されたケース３１とは異なり、略
半リング形状に形成されている。そして、この様にケース３１の上下方向から見たときの
面積を大きくすれば、その分だけよりケース３１の厚さ幅を薄くすることができ、照明器
具１全体の薄型化を図ることができる。
【先行技術文献】
【特許文献】
【００１０】
【特許文献１】特開２００６−８５９４３号公報
【特許文献２】特開２００８−２０４７３０号公報
【特許文献３】特開２００８−２０４７３６号公報
【特許文献４】特開平１０−２３３１８９号公報
【発明の概要】
【発明が解決しようとする課題】
【００１１】
しかしながら、従来の照明器具１は、図１１及び図１２に示すように、ケース３１の側
壁に沿って配線されるランプ線５ａと電源線６とが上下方向から見たときに互いに交差し
ているので、点灯装置３で発生した高周波ノイズがランプ線５ａを介して電源線６に重畳
してしまい、雑音性能が低下するという問題があった。また、電源線６と交差していたラ
ンプ線５ａを、図１３及び図１４に示すように、もう１本のランプ線５ｂと交差させなが
ら器具本体４の内周縁に沿って配線すると、ランプ線５ａが例えば点灯装置３のフィルタ
回路部８と近接してしまうため、同様に雑音性能が低下してしまう。
【００１２】
本発明は上記事由に鑑みて為されたものであり、その目的は、発光効率の向上と薄型化
を図りつつ、従来よりも雑音性能を向上させることができる照明器具を提供することにあ
る。
【課題を解決するための手段】
【００１３】
請求項１の発明は、上記目的を達成するために、放電路の両端部に電極を有して当該放
電路が電極を有する両端部の間で同一の平面内にて湾曲して近接するように形成された平
面ランプを点灯させる点灯装置と、平面ランプを支持するとともに前記平面の法線方向に
沿って平面ランプの中心部と対向する位置に挿通口が貫設されて、前記挿通口を除く平面
ランプの投影面内で点灯装置を保持する器具本体と、平面ランプの前記電極と点灯装置の
出力端子とを各々電気的に接続する一対のランプ線と、前記挿通口を通じて入線されて外
部電源と点灯装置の入力端子とを電気的に接続する電源線と、を備え、一対のランプ線、
及び電源線は、前記平面の法線方向から見たときに互いに交差することなく配線されるこ
とを特徴とする。
【００１４】
この発明によれば、一対のランプ線、及び電源線は、前記平面の法線方向から見たとき
に互いに交差することなく配線されるので、従来と同様に発光効率の向上と薄型化を図り
つつ、従来よりも雑音性能を向上させることができる。
【００１５】
請求項２の発明は、請求項１の発明において、点灯装置は、電源線を通して外部電源へ
帰還する高周波ノイズをフィルタリングするフィルタ回路部を備え、フィルタ回路部は、
点灯装置の外郭たる箱型のケース内の入力端子が配設される一端部近傍に配置され、一対
のランプ線は、前記平面の法線方向から見たときにケースの前記一端部から相対的に離れ
て配線されることを特徴とする。
【００１６】
この発明によれば、一対のランプ線は、前記平面の法線方向から見たときにケースの前
記一端部から相対的に離れて配線されるので、より雑音性能を向上させることができる。
【００１７】
請求項３の発明は、請求項２の発明において、ケースの前記一端部と電源線とは、前記
平面の法線方向から見たときに前記投影面のうち特定の領域内に収まるように配置されて
おり、前記特定の領域は、前記投影面の中心部から前記投影面の周縁部に向かって互いの
成す角度が９０度となるように引いた２本の境界線によって囲まれる領域であることを特
徴とする。
【００１８】
この発明によれば、ケースの前記一端部と電源線とは、前記平面の法線方向から見たと
きに前記投影面のうち前記特定の領域内に収まるように配置されるので、ランプ線の配線
作業が容易となり、より雑音性能を向上させることができる。
【００１９】
請求項４の発明は、請求項３の発明において、前記特定の領域は、前記平面の法線方向
から見たときに平面ランプの両端部に有する口金から最も離れた位置にあることを特徴と
する。
【００２０】
この発明によれば、前記特定の領域は、前記平面の法線方向から見たときに平面ランプ
の両端部に有する口金から最も離れた位置にあるので、より雑音性能を向上させることが
できる。
【００２１】
請求項５の発明は、請求項１〜４の何れか１項の発明において、一対のランプ線のうち
点灯装置の高電位側の出力端子に接続されるランプ線の長さ寸法は、点灯装置の低電位側
の出力端子に接続されるランプ線の長さ寸法より短く設定していることを特徴とする。
【００２２】
この発明によれば、点灯装置からの輻射雑音を低減させて、且つ平面ランプの始動性能
を向上させることができる。
【００２３】
請求項６の発明は、請求項１〜５の何れか１項の発明において、平面ランプの最冷点は
両端部の口金のうち何れか一方の口金近傍に設けられており、点灯装置は前記平面の法線
方向から見たときに前記一方の口金から相対的に離れて配置されることを特徴とする。
【００２４】
この発明によれば、点灯装置は、前記平面の法線方向から見たときに前記一方の口金か
ら相対的に離れて配置されるので、平面ランプの光束の減少を防ぐことができる。
【発明の効果】
【００２５】
本発明では、発光効率の向上と薄型化を図りつつ、従来よりも雑音性能を向上させるこ
とができるという効果がある。
【図面の簡単な説明】
【００２６】
【図１】本発明の実施形態１の上面透視図である。
【図２】同上における点灯装置の回路構成図である。
【図３】図１におけるＡ−Ａ´線断面矢視図である。
【図４】本発明の実施形態１の上面透視図である。
【図５】本発明の実施形態２の上面透視図である。
【図６】同上における上面透視図である。
【図７】同上における上面透視図である。
【図８】本発明の実施形態３の上面透視図である。
【図９】本発明の実施形態４の上面透視図である。
【図１０】本発明の実施形態５の上面透視図である。
【図１１】従来の照明器具の一例の上面透視図である。
【図１２】同上における上面透視図である。
【図１３】同上における上面透視図である。
【図１４】同上における上面透視図である。
【発明を実施するための形態】
【００２７】
（実施形態１）
以下、本発明の実施形態１について、図１〜図４を参照して説明する。尚、以下の説明
では、特に断りのない限り、図１において前後左右方向を規定して図１の正面を上面とし
て、従来技術の説明時と同様に紙面に垂直な方向を上下方向として説明を行う。また、図
３は、図１におけるＡ−Ａ´線断面矢視図である。そして、本実施形態の照明器具１の基
本的な構成は、従来技術で説明した照明器具１と共通であるので、共通の構成要素には同
一の符号を付して説明を省略する。
【００２８】
また、図１や図４には１本の電源線６が図示されているが、実際には２本の電源線６，
６が絶縁体（シース）で被覆された２芯の電源ケーブルが配線される。更にランプ線５ａ
，５ｂについても同様に、図１や図４には各々１本ずつ図示されているが、実際には２本
のランプ線５ａ，５ａが絶縁体で被覆された２芯のケーブルと、２本のランプ線５ｂ，５
ｂが絶縁体で被覆された２芯のケーブルとが配線される。
【００２９】
照明器具１は、上述の通り、平面ランプ２を点灯させる点灯装置３と、器具本体４と、
一対のランプ線５ａ，５ｂと、電源線６とを備える。ここで平面ランプ２は、図１及び図
３に示すように、ガラス等の透光性材料によって中空気密に形成されたバルブ２０を備え
ている。バルブ２０は、両端部の内側に一対の電極（図示せず）を有する１本の長管が、
その長手方向の中央部Ｘを中心に螺旋状に湾曲して近接するように形成される。また、バ
ルブ２０の両端部の外側には口金２２ａ，２２ｂが配設され、内部の電極と導通するラン
プピン２３ａ，２３ｂが各々突設される。口金２２ａ，２２ｂを器具本体４の図示しない
ソケットに各々接続すると、ランプピン２３ａ，２３ｂとランプ線５ａ，５ｂとが各々導
通する。そして、バルブ２０の内部には、放電ガス（例えば、希ガスと水銀蒸気）が封入
され、バルブ２０の内壁には、蛍光体（図示せず）が塗布されている。従って、点灯装置
３で生成される高周波電圧がランプ線５ａ，５ｂを通じてバルブ２０内の前記電極に印加
されることにより、バルブ２０内を放電路２１として平面ランプ２が点灯する。
【００３０】
点灯装置３は、図２に示すように、入力端子３２と、出力端子３３ａ，３３ｂと、フィ
ルタ回路部８と、コンバータ回路部９と、インバータ回路部１０とを備える。ここでフィ
ルタ回路部８は、ラインフィルタＬＦと２個のコンデンサＣ１，Ｃ２とから構成されてお
り、入力端子３２とコンバータ回路部９との間に挿入されて電源線６を通して商用電源Ａ
Ｃへ帰還する高周波ノイズをフィルタリングする。コンバータ回路部９は、入力電圧を全
波整流して直流電圧に変換する整流回路や、一定値の電圧へ昇圧して平滑する昇圧チョッ
パ回路等から構成される。そして、電源線６を通じて商用電源ＡＣから入力端子３２へと
供給される交流電圧（１００Ｖ）は、コンバータ回路部９にて所望の直流電圧に昇圧され
て、インバータ回路部１０にて高周波電圧へと変換されて、出力端子３３ａ，３３ｂ並び
にランプ線５ａ，５ｂを介して平面ランプ２に供給される。尚、電源線６は、長手方向の
上端部に配設される図示しない引掛シーリングキャップが、天井面に設置された円板状の
シーリングローゼット７に引っ掛けられて機械的及び電気的に接続されて、商用電源ＡＣ
から交流電圧（１００Ｖ）が供給される。
【００３１】
そして、上述した各回路部を構成する回路部品が実装されるプリント配線板（図示せず
）は、点灯装置３の外郭たるケース３１内に収納される。また、入力端子３２はケース３
１の左端部３１ａ側に配設され、出力端子３３ａ，３３ｂはケース３１の右端部３１ｂ側
に配設される。このとき先述のフィルタ回路部８は、図１に示すように、ケース３１内で
入力端子３２が配設される左端部３１ａ近傍に配置される。
【００３２】
器具本体４は、図３に示すように、全体として下面が開口する略扁平な有底円筒状に形
成された筐体４ａと、下面に平面ランプ２から放射する光を反射させる反射面を有して筐
体４ａの前記開口を塞ぐようにして配設される皿形状の反射体４ｂとから構成される。点
灯装置３は、図１及び図３に示すように、上下方向に対する平面ランプ２の投影面内に収
まるようにして筐体４ａと反射体４ｂとの間に配設される。但し、点灯装置３は、前記投
影面内でも電源線６が入線される挿通口４２を除く位置に配設される。そして、上述のよ
うな所謂、下面開放型の照明器具１は、例えば店舗・住宅の天井等に設置されて平面ラン
プ２を支持する。
【００３３】
以下、本実施形態の照明器具１の作用について説明する。本実施形態のランプ線５ａ，
５ｂ及び電源線６は、図１に示すように、上下方向から見たときに、器具本体４内で互い
に交差することなく配線される。すなわち、点灯装置３で発生した高周波ノイズがランプ
線５ａ，５ｂを介して電源線６へ重畳するのを抑制し、例えば点灯装置３のフィルタ回路
部８におけるフィルタリング効果の低下を抑制することができる。従って、照明器具１は
、上下方向に対する平面ランプ２の投影面内に点灯装置３を配置させることで従来と同様
に発光効率の向上、並びに薄型化を図りつつ、従来よりも雑音性能を向上させることがで
きる。
【００３４】
ところで、上述の点灯装置３のケース３１は、図１に示すように、細長の矩形箱状に形
成されたものであった。しかし、この限りではなく、上下方向から見たときにケース３１
が器具本体４の挿通口４２を除く平面ランプ２の投影面内に収まる程度の形であれば他の
形状であってもよい。例えば、従来技術で述べた様なケース３１が略半リング形状に形成
されたものであっても、ランプ線５ａ，５ｂ及び電源線６を照明器具１の上下方向から見
たときに器具本体４内で互いに交差することなく配線することにより同様の効果を奏する
ことができる（図４参照）。
【００３５】
（実施形態２）
以下、本発明の実施形態２について、図１、図５〜図７を参照して説明する。尚、本実
施形態は、基本的な構成が実施形態１と共通であるので、共通の構成要素には、同一の符
号を付して説明を省略する。
【００３６】
本実施形態のランプ線５ａ，５ｂは、上下方向から見たときにフィルタ回路部８が配置
されるケース３１の左端部３１ａから相対的に離れて配線されることに特徴がある。
【００３７】
実施形態１のケース３１の左端部３１ａは、図１や図４に示すように、口金２２ａ近傍
に配置されていた。そのためランプ線５ａはケース３１の左端部３１ａから近い位置に配
線されることになる。これに対して本実施形態のケース３１は、図５及び図６に示すよう
に、実施形態１のケース３１の位置から上下方向から見たときの器具本体４中心部を軸心
として時計回りに回動させて、口金２２ａから相対的に離れて配置される。すなわち、ラ
ンプ線５ａは、上下方向から見たときにフィルタ回路部８が配置されるケース３１の左端
部３１ａから相対的に離れて配線される。従って、フィルタ回路部８とランプ線５ａとが
近接して配置されるのを防ぎ、より雑音性能を向上させることができる。
【００３８】
ところで、本実施形態は、上述の通りランプ線５ａ，５ｂとケース３１の左端部３１ａ
との相対的な位置を限定するものであった。しかし、これに加えてケース３１の左端部３
１ａと電源線６とが特定の領域Ｄ内に配置されることで、ランプ線５ａ，５ｂの配線作業
が容易となり、より雑音性能を向上させることができる。ここで特定の領域Ｄとは、上下
方向から見たときに器具本体４の挿通口４２を除く平面ランプ２の投影面のうち、前記投
影面の中心部から前記投影面の周縁部に向かって互いの成す角度が９０度となるように引
いた２本の境界線によって囲まれる領域であり、すなわち、図５及び図６における一点鎖
線で囲まれる領域である。従って、電源線６の長さ寸法を短くしてケース３１の左端部３
１ａと電源線６とが特定の領域Ｄ内に配置されることにより、ランプ線５ａ，５ｂの配線
可能な領域が増えて、ランプ線５ａ，５ｂをケース３１の左端部３１ａから相対的に離れ
て配線させることが容易となる。
【００３９】
更に、上述の特定の領域Ｄの位置を、図７に示すように、平面ランプ２の口金２２ａ，
２２ｂから最も離れた位置とすることでより雑音性能を向上させることができる。尚、前
記最も離れた位置とは、上下方向から見たときに特定の領域Ｄを二等分するように前記投
影面の中心部から前記投影面の周縁部に向かって延びる中央線と、口金２２ａ，２２ｂ間
を結ぶ一点鎖線Ｂ−Ｂ´に対してその中心部を通る垂線方向に沿った一点鎖線Ｃ−Ｃ´と
が合い重なる位置である。
【００４０】
（実施形態３）
以下、本発明の実施形態３について、図８を参照して説明する。尚、本実施形態は、基
本的な構成が実施形態１と共通であるので、共通の構成要素には、同一の符号を付して説
明を省略する。また、以下では略半リング形状に形成されたケース３１についてのみを例
に挙げて説明するが、細長の矩形箱状に形成されたケース３１であってもよい。
【００４１】
本実施形態は、例えば出力端子３３ａ，３３ｂのうち出力端子３３ａが低電位側で出力
端子３３ｂが高電位側である場合に、出力端子３３ｂに接続されるランプ５ｂの長さ寸法
を、出力端子３３ａに接続されるランプ５ａの長さ寸法より短く設定している点に特徴が
ある。
【００４２】
一般的に高電位側のランプ線は、点灯装置の輻射雑音の発生源となるために長さ寸法を
短くすることが望ましい。また、高電位側のランプ線の長さ寸法が長くなるとランプ線の
浮遊容量が増大して、インバータ回路部の共振回路が影響を受けて高周波電圧が平面ラン
プを始動させるのに必要な大きさとなるまでにかかる時間が長くなり、平面ランプが点灯
するまでの始動性能が悪くなる。そこで、本実施形態の高電圧側の出力端子３３ｂに接続
されるランプ線５ｂは、図８に示すように、低電圧側の出力端子３３ａに接続されるラン
プ５ａよりも長さ寸法を短く設定することで、実施形態１と同様の効果を奏しながら、加
えて点灯装置３の輻射雑音を低減させて且つ平面ランプ２の始動性能を向上させることが
できる。
【００４３】
（実施形態４）
以下、本発明の実施形態４について、図９を参照して説明する。尚、本実施形態は、基
本的な構成が実施形態１と共通であるので、共通の構成要素には、同一の符号を付して説
明を省略する。また、以下では略半リング形状に形成されたケース３１についてのみを例
に挙げて説明するが、細長の矩形箱状に形成されたケース３１であってもよい。
【００４４】
本実施形態の点灯装置３は、上下方向から見たときに平面ランプ２の最冷点Ｐ近傍に位
置する口金２２ａから相対的に離れて配置される点に特徴がある。
【００４５】
ここで言う最冷点Ｐとは、平面ランプ２が点灯中にバルブ２０の表面の中で最も温度が
低くなる場所である。一般的に最冷点の温度が３０℃〜４０℃程度で最も高い光束値が得
られるように設定されており、最冷点の温度が４０℃を超過すると平面ランプの光束は減
少する。因って、実際に照明器具１に装着されて点灯しているときの平面ランプ２は、最
冷点Ｐの温度を３０℃〜４０℃程度に抑えることが望ましい。
【００４６】
また、最冷点の場所は、バルブの形や種類により種々に異なっており、上述してきた平
面ランプ２の場合、最冷点Ｐは通常であればバルブ２０の長手方向の中央部Ｘ（図３参照
）に設けられている。しかし、本実施形態の平面ランプ２には、口金２２ａ側の電極を保
持するロングステム（図示せず）と、口金２２ｂ側の電極を保持するショートステム（図
示せず）とが配設される。すなわち、口金２２ａ側の電極を前記ロングステムで保持させ
ることで、前記ショートステムに保持される口金２２ｂ側の電極よりもバルブ２０の長手
方向に沿って中央部Ｘに近づけて配置させて、図９に示すように、口金２２ａ近傍のバル
ブ２０の表面に最冷点Ｐを設定する。そして、点灯装置３のケース３１を上下方向から見
たときに口金２２ａから相対的に離れて配置する。これにより、平面ランプ２の最冷点Ｐ
は、点灯装置３を構成する回路部品のうちで相対的に発熱量の多い回路部品から離れて配
置されて、最冷点Ｐの温度上昇を抑えることができる。従って、平面ランプ２の光束の減
少を防ぐことができる。尚、前記ロングステムや前記ショートステムを設けることにより
最冷点Ｐを口金２２ａ近傍に設定することは、例えば特許文献４に記載の通り周知の技術
であるのでここでの詳細な説明は省略する。
【００４７】
（実施形態５）
以下、本発明の実施形態５について、図１０を参照して説明する。尚、本実施形態は、
基本的な構成が実施形態１と共通であるので、共通の構成要素には、同一の符号を付して
説明を省略する。また、以下では略半リング形状に形成されたケース３１についてのみを
例に挙げて説明するが、細長の矩形箱状に形成されたケース３１であってもよい。
【００４８】
本実施形態は、器具本体４内に信号線１１を通じて点灯装置３に接続される補助装置１
２を備える点に特徴がある。
【００４９】
ここで、補助装置１２とは、例えば、図示しないワイヤレスリモコンから送信される無
線信号を受信する受信部と、平面ランプ２の点灯状態を受信した無線信号に応じて変化さ
せるように点灯装置３を制御するための制御信号を生成して、点灯装置３へ出力する制御
部とを備えたものである。但し、前記受信部は、少なくとも器具本体４から照明空間に対
して露出するように配設される。そして、ワイヤレスリモコンの送波面を前記受信部へ向
けながらワイヤレスリモコンに配設される操作釦を通じて平面ランプ２の点灯状態を変化
させるための操作入力が受け付けられることで、制御信号が信号線１１を通じて補助装置
１２から点灯装置３へ出力されて、操作者の思惑通りに平面ランプ２が点灯・消灯・調光
される。
【００５０】
尚、補助装置１２は、この他にも器具本体４の外部に人体の存否を検出するための人感
検知部や、周囲の空間内における照度を検出するための照度検知部を備えたものであって
もよい。この場合、補助装置１２の制御部はこれらの検知部から検出信号を受信すれば、
当該検出信号に応じた制御信号を生成して点灯装置３へ出力する。そして、平面ランプ２
は、例えば、人感検知部の監視領域内に人が居なければ消灯して、人が居れば点灯するよ
うに制御される。また、照度検知部で検出された照明空間内の照度が高ければ調光率を下
げるように制御される。
【００５１】
そして、本実施形態のランプ線５ａ，５ｂ及び電源線６は、図１０に示すように、上下
方向から見たときに補助装置１２から相対的に離れて配線され、且つ信号線１１と交差す
ることなく配線される。従って、補助装置１２及び信号線１１に対するランプ線５ａ，５
ｂ及び電源線６から発せられる電磁ノイズの影響を低減させることができる。
【符号の説明】
【００５２】
１  照明器具
２  平面ランプ
３  点灯装置
４  器具本体
５ａ  ランプ線
５ｂ  ランプ線
６  電源線
７  シーリングローゼット
２１  放電路
３２  入力端子
３３ａ  出力端子
３３ｂ  出力端子
４２  挿通口
【図１】
0005453018.tif 000002
【図２】
0005453018.tif 000003
【図３】
0005453018.tif 000004
【図４】
0005453018.tif 000005
【図５】
0005453018.tif 000006
【図６】
0005453018.tif 000007
【図７】
0005453018.tif 000008
【図８】
0005453018.tif 000009
【図９】
0005453018.tif 000010
【図１０】
0005453018.tif 000011
【図１１】
0005453018.tif 000012
【図１２】
0005453018.tif 000013
【図１３】
0005453018.tif 000014
【図１４】
0005453018.tif 000015